(57)【要約】【課題】  過去の撮影と同一条件で容易に撮影することのできるようにする。【解決手段】  ステップＳ１において、撮影プロトコルを選択し表示された過去画像条件を選択する、又は表示されている過去画像条件を選択し撮影プロトコルを選択する。ステップＳ２において患者の撮影部位コードが同一か否かを判断する。撮影部位コードを同一でない場合にはステップＳ３に進み、撮影部位コードが異なる旨を操作者に警告をし、ステップＳ４において撮影プロトコル条件を撮影パラメータとして利用する。ステップＳ２において、撮影部位コードが同一であった場合には、過去パラメータを用いて撮影を行う。【選択図】  図３
2005110844.tif 000002
【特許請求の範囲】
【請求項１】
外部入力部から入力された被写体情報に基づいて画像保存部から被写体の過去画像を検索、受信する画像検索受信部と、前記被写体情報に基づいて撮影パラメータ保存部から被写体の過去撮影パラメータを検索、受信するパラメータ検索受信部と、受信した前記過去画像及び／又は前記過去撮影パラメータを表示する表示部と、表示された前記過去画像及び／又は前記過去撮影パラメータを選択する選択部と、前記選択部で選択した前記過去画像及び／又は前記過去撮影パラメータを撮影条件として設定する撮影制御部と、設定された前記撮影条件を基に被写体をＸ線撮影する撮影手段とを有することを特徴とするＸ線画像撮影装置。
【請求項２】
前記画像保存部と前記撮影パラメータ保存部は同一の手段であることを特徴とする請求項１に記載のＸ線画像撮影装置。
【請求項３】
前記撮影制御部による撮影条件の設定は、Ｘ線発生条件、Ｘ線絞り、Ｘ線とＸ線画像受信部との相対位置、画像処理条件の少なくとも何れかであることを特徴とする請求項１に記載のＸ線画像撮影装置。
【請求項４】
撮影に先立ち被写体の最も直近の前記過去画像及び／又は前記過去撮影パラメータを前記表示部に表示し、これらよりも更に古い前記過去画像及び／又は前記過去撮影パラメータである第２の過去画像及び／又は第２の過去撮影パラメータを引き出す検索指示部と、該検索指示部から指示した場合には前記画像検索受信部に前記第２の過去画像の検索、受信を指示し、及び／又は前記パラメータ検索受信部に前記第２の過去撮影パラメータの検索、受信を指示し、前記表示部は検索した前記第２の過去画像及び／又は前記第２の過去撮影パラメータを表示することを特徴とする請求項１に記載のＸ線画像撮影装置。
【請求項５】
撮影に先立ち予め記憶されている複数の第３の撮影パラメータを選択する第２の選択部と、前記第３の撮影パラメータを選択した場合において、前記第３の撮影パラメータと前記過去撮影パラメータの撮影部位情報が互いに同じである場合は、前記過去撮影パラメータを使用することを特徴とする請求項１に記載のＸ線画像撮影装置。
【請求項６】
外部入力部から入力された被写体情報に基づいて画像保存部から被写体の過去画像を検索、受信し、及び／又は被写体情報に基づいて撮影パラメータ保存部から前記被写体の過去撮影パラメータを検索、受信する工程と、受信した前記過去画像及び／又は前記過去撮影パラメータを表示部に表示する工程と、表示された前記過去画像及び／又は前記過去撮影パラメータを選択する工程と、撮影に先立ち選択した前記過去画像及び／又は前記過去撮影パラメータを撮影条件として設定する工程と、設定された前記撮影条件に基づいて被写体をＸ線撮影する工程とを有することを特徴とするＸ線画像撮影方法。
【発明の詳細な説明】
【技術分野】
【０００１】
本発明は、被写体を透過したＸ線像を撮影するＸ線画像撮影装置及び撮影方法に関するものである。
【背景技術】
【０００２】
従来から医用分野の画像診断は、Ｘ線撮影されたＸ線フィルム画像をシャーカステンに掛けて、観察することにより行っている。しかし、通常のＸ線フィルムは、診断部位を観察し易くするために、濃度域１．０〜１．５Ｄ程度の観察し易いコントラストとなるように設定している。しかし、撮影条件が多少ずれたりすると、読影による診断に悪影響を及ぼす露光過剰になったり、露光不足になったりするため、希望の画像を得るために様々な工夫が必要となる。
【０００３】
一方、近年のコンピュータ技術の発展に伴い、医用分野でコンピュータ化が浸透しており、画像診断の分野においても、例えば特許文献１のように、各種ＣＴ（Computer Tomography）装置や超音波診断機器、ラジオアイソトープを用いた診断機器等が著しく普及している。そして、各種診断機器をコンピュータに接続し、各種モダリティ画像を総合的に診断しようとする総合画像診断という概念が発生している。
【０００４】
しかしながら、Ｘ線フィルム画像は画像診断の中で最も使用頻度が多く、かつ重要視されているにも拘わらず、アナログ画像であるため総合画像診断に上手く馴染めず、画像診断分野のコンピュータ化の障害となっている。
【０００５】
ところが近年では、固体撮像素子等を用いたＸ線撮影が開発されてきており、Ｘ線画像においてもコンピュータを用いたＸ線デジタル撮影が徐々に普及してきている。このＸ線デジタル撮影装置を利用すると、既に撮影が行われた画像のコントラスト調整や、失敗撮影の再撮影が可能となる。
【０００６】
しかし、医師は診断の際に常に過去画像と比較して読影するため、過去画像と撮影条件が異なると、出力される画像の態様が変化するため、比較読影が困難となる問題が生ずる。
【０００７】
そこで、従来から行われてきた方法として、電子オーダリングシステムとの連携により、予め撮影方法毎に撮影パラメータを定めておき、その撮影条件で撮影を行うことで、同一条件で撮影を可能にする方法が行われている。
【０００８】
【特許文献１】特開２００１−１４９３５４号公報
【発明の開示】
【発明が解決しようとする課題】
【０００９】
しかし、上述の電子オーダリングシステムは非常に高価であり、どの病院でも設備できるものではない。また、操作者が撮影の際に臨機応変に撮影パラメータを変更してしまうという問題があり、必ずしも同じ条件で撮影できるとは限らない。
【００１０】
更に、実際の撮影においては、位置調整や、Ｘ線を照射する絞りの量等の操作者の経験や勘に頼るものも多く、電子オーダリングシステムを用いたとしても、常にその患者の前回の画像と同じように撮影がなされるとは保証はない。
【００１１】
このような課題を解決する手段として、電子オーダリングシステムを用いることなく、既に撮影を行った場合の撮影パラメータを用いたり、画像そのものを操作者が撮影の際に参照することにより、操作者が前回と同じ撮影がし易いような手段が必要となる。
【００１２】
撮影に際しては、位置調整やＸ線を照射する絞りの量等の操作者の主観によるものが多い。また、Ｘ線発生装置の発生設定条件であればまだしも、位置決め等は画像としては表現されるが、文字として電子化して保存することが困難である。
【００１３】
本発明の目的は、上述の課題を解決し、撮影に先立ち過去画像及び／又は過去撮影パラメータを操作者に提示し、過去の撮影条件に基づいて撮影を行うことにより、画像診断を容易にするＸ線画像撮影装置及び撮影方法を提供することにある。
【課題を解決するための手段】
【００１４】
上述の目的を達成するための本発明に係るＸ線画像撮影装置は、外部入力部から入力された被写体情報に基づいて画像保存部から被写体の過去画像を検索、受信する画像検索受信部と、前記被写体情報に基づいて撮影パラメータ保存部から被写体の過去撮影パラメータを検索、受信するパラメータ検索受信部と、受信した前記過去画像及び／又は前記過去撮影パラメータを表示する表示部と、表示された前記過去画像及び／又は前記過去撮影パラメータを選択する選択部と、前記選択部で選択した前記過去画像及び／又は前記過去撮影パラメータを撮影条件として設定する撮影制御部と、設定された前記撮影条件を基に被写体をＸ線撮影する撮影手段とを有することを特徴とする。
【００１５】
また本発明に係るＸ線画像撮影方法は、外部入力部から入力された被写体情報に基づいて画像保存部から被写体の過去画像を検索、受信し、及び／又は被写体情報に基づいて撮影パラメータ保存部から前記被写体の過去撮影パラメータを検索、受信する工程と、受信した前記過去画像及び／又は前記過去撮影パラメータを表示部に表示する工程と、表示された前記過去画像及び／又は前記過去撮影パラメータを選択する工程と、撮影に先立ち選択した前記過去画像及び／又は前記過去撮影パラメータを撮影条件として設定する工程と、設定された前記撮影条件に基づいて被写体をＸ線撮影する工程とを有することを特徴とする。
【発明の効果】
【００１６】
本発明によれば、撮影に先立って操作者に過去画像及び／又は過去撮影パラメータが表示されるため、操作者はこれらの撮影条件を利用して前回撮影した画像に近い画像を撮影することができる。
【発明を実施するための最良の形態】
【００１７】
図１は本実施例におけるＸ線画像読取装置のブロック構成図を示し、氏名等患者情報等の入力されている病院磁気カードＣを読み取るための患者情報入力部１の出力は、画像検索受信部２、撮影パラメータ検索受信部３が接続されている。更に、画像検索受信部２、撮影パラメータ検索受信部３は、それぞれ過去画像及び過去撮影パラメータを表示する表示部４と接続されている。
【００１８】
表示部４には、過去画像を選択したり検索するための第１の選択部５、検索指示部６の出力が接続され、更に表示部４の出力は撮影制御部７に接続されている。この撮影制御部７には各種パラメータを選択するための第２の選択部８の出力が接続され、撮影制御部７の出力はＸ線及び絞りを制御するＸ線・絞り制御部９、相対位置制御部１０、画像処理部１１に接続されている。
【００１９】
更に、画像検索受信部２、撮影パラメータ検索受信部３は、それぞれ外部の画像保存部１２、撮影パラメータ保存部１３と相互に接続されている。なお、本実施例において、画像保存部１２と撮影パラメータ保存部１３は、説明を容易にするために異なる装置を用いているが、同一のＣＰＵであってもよい。
【００２０】
図２は操作卓２１の構成図に示し、この操作卓２１には、表示部４、第１の選択部５、検索指示部６が含まれている。この操作卓２１には、更に画像表示部２２、患者名表示部２３、幾つかの撮影部位を選択可能な撮影プロトコル選択釦２４、撮影開始釦２５、複数の撮影条件表示部２６、複数のパラメータ参照部２７、画像処理変更指示釦２８、撮影釦２９、検査終了釦３０等が設けられている。なお、撮影条件表示部２６、パラメータ参照部２７は表示部４に相当している。
【００２１】
前回の検査で複数の撮影が行われた場合には、全ての撮影画像を操作卓２１に表示可能である。操作者は撮影に先立ち、撮影条件表示部２６においてそれら撮影と同じ種別の過去画像を参照することができる。また、パラメータ参照部２７において撮影パラメータを選択し、それを撮影に利用することができる。
【００２２】
過去情報中に、今回撮影すべき画像と同様の過去画像がない場合には、更に古い検査の過去画像が必要となる。この場合には、操作者は検索指示部６を介して更に古い画像や撮影パラメータを検索して表示することが可能である。
【００２３】
撮影に先立ち、これから行うべき胸部正面や頭部側面等の撮影プロトコルと同じ過去撮影があった場合には、その撮影画像を選択すると、そのときに利用された過去撮影パラメータが、今回の撮影に対して自動設定される。
【００２４】
例えば、撮影に利用することができる撮影パラメータとしては、下記のようなものがあり、パラメータを送信設定する送信先は下記の通りである。
【００２５】
情報                    内容                    送信先
Ｘ線発生パラメータ          ＫＶ、ｍＡ            Ｘ線・絞り制御部９
フォトタイマ位置
ｍＡｓ、ｍｓｅｃ
絞りパラメータ          Ｘ線絞り量                Ｘ線・絞り制御部９
相対位置パラメータ      撮影センサとＸ線装置の    相対位置制御部１０
位置連動                  
画像処理パラメータ      ウィンドウ幅              画像処理部１１
ウィンドウ中央値
周波数強調パラメータ、他
【００２６】
操作者は上述の自動設定された撮影条件を用いて撮影を行えば、過去撮影条件と同様の条件で撮影を行うことが可能である。
【００２７】
操作に際しては、操作者は先ず検査を行う患者の例えば病院磁気カードＣを磁気カード読取機を介して読み取り、患者情報を患者情報入力部１に入力する。そして、患者情報入力部１に入力された患者情報は、画像検索受信部２及び撮影パラメータ検索受信部３に送信される。
【００２８】
画像検索受信部２は外部の画像保存部１２に対して、この患者の過去画像の検索を行い、過去画像が存在すればその過去画像を受信する。また、撮影パラメータ検索受信部３は外部の撮影パラメータ保存部１３に対して、この患者の過去の撮影パラメータ検索を行い、過去の撮影パラメータが存在する場合にはその撮影パラメータを受信する。
【００２９】
読み込まれた患者情報は、操作卓２１の患者名表示領域２２に表示される。また、検索受信された直近の過去画像、過去撮影パラメータは撮影条件表示部２６、パラメータ参照部２７に表示される。撮影パラメータの詳細な過去パラメータは、表示領域のスペースの関係上、他の表示部において確認することができる。操作者が特定の過去画像を選択すると、その画像が撮影された際の撮影パラメータ、例えば現在選択されている撮影プロトコル選択釦２４の胸部ＰＡの撮影条件を上書きして変更される。
【００３０】
更に、古い過去画像、過去撮影パラメータを表示したい場合には、検索指示部６を介して画像検索受信部２及び撮影パラメータ検索受信部３に指示がなされ、検索が行われ、更に古い情報を取り出して参照し、再利用することが可能となる。
【００３１】
図３は撮影条件設定のフローチャート図を示し、操作者は先ずステップＳ１において、撮影プロトコルを選択釦２４により選択し、表示されている過去画像条件を選択する、又は表示されている過去画像条件を選択し撮影プロトコルを選択する。
【００３２】
ステップＳ２において、患者の撮影部位コードが同一か否かを判断する。両者が選択されたときに、それぞれの持つ撮影部位コードが異なれば、互いに全く関係のない撮影情報であることとなる。例えば、一方は胸部正面、他方は腹部側面である場合に、過去の撮影条件を使用する意味はない。従って、撮影部位コードが同一でない場合にはステップＳ３に進み、撮影部位コードが異なる旨の警告を操作者に警告をし、ステップＳ４において撮影プロトコル条件を撮影パラメータとして利用することとなる。
【００３３】
ステップＳ２において、撮影部位コードが同一であった場合には、過去撮影パラメータを用いて撮影を行うこととなる。なお、過去撮影条件の選択が行われず、撮影プロトコルのみが選択された場合は、ステップＳ５において選択された撮影プロトコルの条件で撮影を行うことが可能である。
【００３４】
最終的に、操作者は撮影に先立って、必要に応じて過去画像の撮影条件で撮影を行うことが可能となる。
【図面の簡単な説明】
【００３５】
【図１】実施例のブロック構成図である。
【図２】操作卓の構成図である。
【図３】フローチャート図である。
【符号の説明】
【００３６】
１  患者情報入力部
２  画像検索受信部
３  撮影パラメータ検索受信部
４  表示部
５  第１の選択部
６  検索指示部
７  撮影制御部
８  第２の選択部
９  Ｘ線・絞り制御部
１０  相対位置制御部
１１  画像処理部
１２  画像保存部
２１  操作卓
２３  患者名表示部
２４  撮影プロトコル選択釦
２５  撮影開始釦
２６  撮影条件表示部
２７  パラメータ参照部
２８  画像処理変更指示釦
【図１】
2005110844.tif 000003
【図２】
2005110844.tif 000004
【図３】
2005110844.tif 000005